(57)【要約】      （修正有）【課題】使用時に塗布部の長さを好みに応じて変化させることができると共に、収容時に塗布部の長短を気にすることなく液を貯留する容器内に収容でき、かつ、少ない容器内の残液でも塗布部に液を接触させることができる塗布具を提供する。【解決手段】伸長状態の塗布部１０を容器内に収容した際に容器内底部に塗布部１０が押されて収縮し、一方、該塗布部１０を容器１２から取り出した際に弾性部材の付勢力によって伸長し、短縮状態の塗布部１０を容器内に収容した際に容器内の液が付くようにし、一方、塗布部１０を容器１２から取り出した際に操作部１８の操作により塗布部１０が伸縮可能な構造の塗布具。【選択図】図１
2015128476.tif 000002
【特許請求の範囲】
【請求項１】
伸縮可能な塗布部を容器内に収容した際に、容器内の液に浸け得るようにした塗布具において、
塗布部後端側に取り付けられた、容器に着脱可能な把持部と、
塗布部の伸縮動作用の操作部と、
塗布部を伸びる方向に付勢する弾性体と、
伸長状態の塗布部を容器内に収容した際に容器内底部に塗布部が押されて収縮し、一方、該塗布部を容器から取り出した際に弾性体の付勢力によって伸長し、
短縮状態の塗布部を容器内に収容した際に容器内の液が付くようにし、一方、塗布部を容器から取り出した際に操作部の操作により塗布部が伸縮可能な構造であることを特徴とする塗布具。
【請求項２】
塗布部後端側には、容器に着脱可能な把持部が取り付けられ、塗布部の内部に把持部の内部を通るシャフト部が挿入され、
把持部の後方に把持部に対する回転操作が可能な操作部が配設され、
操作部は、その内部に操作部が回転操作されたときに前後移動する可変リングが配設され、
可変リングは、シャフト部の該可変リングに対する一定以上の前方移動を規制して前後方向に相対移動可能にシャフト部に装着され、
シャフト部を操作部に対して前方に付勢する該弾性体が操作部に設けられたものであることを特徴とする請求項１に記載の塗布具。
【請求項３】
塗布部は、蛇腹状であることを特徴とする請求項１に記載の塗布具。
【請求項４】
可変リングにシャフト部が前後移動可能に挿入され、該シャフト部の後端に可変リングの後方への抜け止め用係合部が形成されており、
操作部の把持部に対する回転操作で可変リングが操作部内で後方に移動したときに該可変リングが前記抜け止め用係合部に当接して、シャフト部を後方に移動させる構成になっていることを特徴とする請求項１から３のうちの１項に記載の塗布具。
【発明の詳細な説明】
【技術分野】
【０００１】
本発明は、マスカラ液等の化粧料や染毛剤等の液体を収容した塗布具に関する。
【背景技術】
【０００２】
従来、塗布具において、例えばマスカラ用塗布具では、容器本体にマスカラ液が収容されており、キャップに備えたブラシ部材等の塗布部に容器本体内のマスカラ液を含浸させ、使用の際に塗布部をしごいた後、そこに付着したマスカラ液を適量にし、対象箇所に塗布するのが一般的である。
【０００３】
この塗布具では、液の塗布量が調整しにくいため、下記（１）〜（３）等のような、塗布量が調整できる塗布具が種々に提案されている。
【０００４】
（１）液体を塗布具に適量付けるようにした塗布具には、例えば後端ネジを回すことにより、塗布具が容器内で長手方向に前後させるようにした伸縮ブラシ付きキャップが提案させている。このキャップでは、キャップ時の残液と塗布部の接触量を残液に応じて変え得るようにしている（特開２０１１−７２７４４号公報：特許文献１）。
【０００５】
しかしながら、この塗布具では、塗布部の伸縮ができないために、塗布部への液の付着量を調整できない問題がある。
【０００６】
（２）塗布部にスプリング部材が構成されていて、後端のネジ操作でスプリングが伸長する塗布容器が提案されている。この塗布容器では、塗布部（スプリング）が伸長して、任意のピッチに変更可能にしている（特開２００７−４３４号公報：特許文献２）。
【０００７】
しかしながら、この塗布容器では、予め全長を長くしないと容器本体の底面に塗布部を接触させることができない問題がある。
【０００８】
（３）塗布部にゴムやシリコン等の弾性素材を用いて、後端取っ手によりネジ操作して塗布部の長さを変化させ得るマスカラが提案されている（特開２０１２−２０１０４号公報：特許文献３）。このマスカラは、取っ手を回転させて自由に塗布部の長さを設定できる。
【０００９】
しかしながら、短い塗布部長さのまま容器に収容すると、塗布部が容器内の残液に触れなくなる問題がある。
【先行技術文献】
【特許文献】
【００１０】
【特許文献１】特開２０１１−７２７４４号公報
【特許文献２】特開２００７−４３４号公報
【特許文献３】特開２０１２−２０１０４号公報
【発明の概要】
【発明が解決しようとする課題】
【００１１】
本発明は、斯かる実情に鑑み、使用時に塗布部の長さを好みに応じて変化させることができると共に、収容時に塗布部の長短を気にすることなく液を貯留する容器内に収容でき、かつ、容器内の残液が少なくても塗布部に液を接触させることができる塗布具を提供とするものである。
【課題を解決するための手段】
【００１２】
本発明は、伸縮可能な塗布部を容器内に収容した際に、容器内の液に浸け得るようにした塗布具において、
塗布部後端側に取り付けられた、容器に着脱可能な把持部と、
塗布部の伸縮動作用の操作部と、
塗布部を伸びる方向に付勢する弾性部材と、
伸長状態の塗布部を容器内に収容した際に容器内底部に塗布部が押されて収縮し、一方、該塗布部を容器から取り出した際に弾性部材の付勢力によって伸長し、
短縮状態の塗布部を容器内に収容した際に容器内の液が付くようにし、一方、塗布部を容器から取り出した際に操作部の操作により塗布部が伸縮可能な構造であることを特徴とする塗布具である。
【００１３】
本発明において、塗布部後端側には、容器に着脱可能な把持部が取り付けられ、塗布部の内部に把持部の内部を通るシャフト部が挿入され、
把持部の後方に把持部に対する回転操作が可能な操作部が配設され、
操作部は、その内部に操作部が回転操作されたときに前後移動する可変リングが配設され、
可変リングは、シャフト部の該可変リングに対する一定以上の前方移動を規制して前後方向に相対移動可能にシャフト部に装着され、
シャフト部を操作部に対して前方に付勢する弾性体が該操作部に設けられたものであることが好適である。
【００１４】
本発明において、塗布部は、蛇腹状であることが好適である。
【００１５】
本発明において、操作部内に、把持部に対してシャフト部を前方に押圧する弾性体が設けられていることが好適である。
【００１６】
本発明において、可変リングにシャフト部が前後移動可能に挿入され、該シャフト部の後端に可変リングの後方への抜け止め用係合部が形成されており、
操作部の把持部に対する回転操作で可変リングが操作部内で後方に移動したときに該可変リングが前記抜け止め用係合部に当接して、シャフト部を後方に移動させる構成になっていることが好適である。
【発明の効果】
【００１７】
本発明の塗布具によれば、伸長状態の塗布部を容器内に収容した際に容器内底部に塗布部が押されて収縮し、一方、該塗布部を容器から取り出した際に弾性部材の付勢力によって伸長し、短縮状態の塗布部を容器内に収容した際に容器内の液が付くようにし、一方、塗布部を容器から取り出した際に操作部の操作により塗布部が伸縮可能な構造であるので、操作部を回転させることによって塗布部が伸縮して製品全長が長手方向に伸縮することと、容器内に収容すると塗布部材が収縮することとが両立できる塗布具を提供できる。
【００１８】
一般的な機構では、ネジ操作の身長機構は（長手方向への押圧で伸長できないため）、容器の底着きができなかったが、本発明では操作部、把持部、弾性体等の簡単な構成で可能にしている。
【図面の簡単な説明】
【００１９】
【図１】本発明の実施形態に係る塗布具の全体説明図で、（ａ）が側面図、（ｂ）が縦断面図である。
【図２】同塗布具の全体断面斜視図である。
【図３】同塗布具の塗布部側で塗布部を収縮した状態の説明図で、（ａ）が全体斜視図、（ｂ）が側面図、（ｃ）が縦断面図、（ｄ）が前端からの視図である。
【図４】同塗布具の塗布部側で塗布部を伸長した状態の説明図で、（ａ）が全体斜視図、（ｂ）が側面図、（ｃ）が縦断面図である。
【図５】同塗布具のシャフト部、可変リング及び塗布部を組み、該塗布部を収縮した状態の組図で、（ａ）が全体斜視図、（ｂ）が側面図、（ｃ）が縦断面図である。
【図６】同塗布具のシャフト部、可変リング及び塗布部を組み、該塗布部を伸長した状態の組図で、（ａ）が全体斜視図、（ｂ）が側面図、（ｃ）が縦断面図である。
【図７】同塗布具の把持部の部品説明図で、（ａ）が後端からの視図、（ｂ）が全体斜視図、（ｃ）が側面図、（ｄ）が縦断面図、（ｅ）が前端からの視図である。
【図８】同塗布具の操作部の部品説明図で、（ａ）が後端からの視図、（ｂ）が側面図、（ｃ）が（ｂ）の状態の縦断面図、（ｄ）が（ｂ）から９０°回転させた側面図、（ｅ）が（ｄ）の状態の側面図、（ｆ）が前方からの斜視図、（ｇ）が前端からの視図である。
【図９】同塗布具の容器の部品説明図で、（ａ）が後端からの視図、（ｂ）が全体斜視図、（ｃ）が側面図、（ｄ）が縦断面図である。
【発明を実施するための形態】
【００２０】
以下、本発明の実施形態について添付図面を参照して説明する。
【００２１】
図１〜図２は実施形態に係る塗布具の全体説明図、図３〜図９が各部の説明図である。
【００２２】
図１〜図９に示すように、実施形態に係る塗布具は、伸縮可能な塗布部１０を容器１２内に収容した際に、容器１２内の液に浸け得るようにした塗布具において、伸長状態の塗布部１０を容器１２内に収容した際に容器１２内底部に塗布部１０が押されて収縮し、一方、該塗布部１０を容器１２から取り出した際に弾性体２２の付勢力によって伸長し、短縮状態の塗布部１０を容器１２内に収容した際に容器１２内の液が付くようにし、一方、塗布部１０を容器１２から取り出した際に操作部１８の操作により塗布部１０が伸縮可能な構造である。
【００２３】
塗布具においては、前方が容器１２で後方に操作部１８が位置する（図１参照）。
【００２４】
塗布具において、塗布部１０の後端側には、容器１２に着脱可能な把持部１４が取り付けられ、塗布部１０の内部に把持部１４の内部を通るシャフト部１６が挿入される。
【００２５】
把持部１４の後方には、把持部１４に対して回転操作が可能な操作部１８が配設される。操作部１８は、その内部に操作部１８が回転操作されたときに前後移動する可変リング２０が配設される。可変リング２０は、該可変リング２０に対する一定以上の前方移動を規制して前後方向に相対移動可能なシャフト部１６に装着される。シャフト部１６を操作部１８に対して前方に付勢する弾性体２２が設けられたものである。
【００２６】
塗布具では、塗布部１０を容器１２内に収容した際に、塗布部１０が収縮可能で、一方、塗布部１０を容器１２から取り出した際に、操作部１８の操作により塗布部１０が伸縮可能である。
【００２７】
各部を詳細に説明する。
【００２８】
〔塗布部１０〕
塗布部１０は、蛇腹状である。具体的には、柔軟性樹脂材や布材によって形成された一端（前端）閉鎖で、後端が細径筒状に開口した概略筒状体であり、側周面が凹凸になった蛇腹状の構造を呈する。図３に示すように、凹凸が折りたたまれて収縮し、図４に示すように、凹凸が延びて伸長する構造である。塗布部１０の材質はマスカラ等の液が乗りやすいものであり、例えばＰＴＦＥ等のプラスチック材料やシリコーンゴム等のゴム材料とすることが好ましい。
【００２９】
〔容器１２〕
容器１２は、図１、図９に示すように、前端が閉鎖された円筒状体であって、内部にマスカラなどの塗布対象の液が収容される。容器１２は後端が細径になって外周面に雄ネジ１２ａが形成されている。容器１２の材質は樹脂製、金属製など種々の材質にできる。
【００３０】
〔把持部１４〕
把持部１４は、軸中心に位置する中空軸状の内側軸状体１４ａと、外周に位置する筒状側面体１４ｂと、それらを一体に繋ぐ円盤状体１４ｃとが一体形成されている（図１、図７参照）。またはそれらの各部を接着、接合等により接続してもよい。
【００３１】
筒状側面体１４ｂの前方内周部には雌ネジが形成され、この雌ネジが前記容器１２後端の雄ネジ１２ａが螺合する構造になっている。内側の内側軸状体１４ａ内には、貫通孔が穿設されその貫通孔にシャフト部１６が挿通され、内側軸状体１４ａに対して前記シャフト部１６が回転方向に規制され、進退動自在にシャフト部１６が挿通される。前記内側軸状体１４ａの前端内周に、塗布部１０の後端を接着等で固定している。
【００３２】
また、前記内側軸状体１４ａの前端も含めて前部内周には円筒状内周面が形成されている。一方、前記内側軸状体１４ａの内周は、図７（ａ）に示すように、周方向に対で切り欠かれた異形断面孔１４ａ１に形成されている。
【００３３】
〔シャフト部１６〕
シャフト部１６は、図１、図５等に示すように、長さ方向の前端から中央の円形断面の棒状箇所１６ａと、後部の対向する外周部を切り欠いた異形断面構造の回り止め箇所１６ｂと、後端のスプリング８弾性体止め用の外向き突起１６ｃとからなる全体的に概略棒状体である。
【００３４】
シャフト部１６を内側軸状体１４ａの内孔に挿入することによって、該回り止め箇所１６ｂが異形断面孔１４ａ１に対応して装着されることによって、シャフト部１６が把持部１４に対して回転規制されて共回りし、かつ、シャフト部１６に対して前後動可能に組み合わさっている。なお、前記周り止め箇所１６ｂと異形断面孔１４ａ１の異形断面形状はスプライン形状、星形形状等、適宜に形成できる。
【００３５】
また、シャフト部１６の後端のスプリング止め用の外向き突起１６ｃは、図１、図５に示されるように、コマ状の円環形状に形成される。
【００３６】
〔操作部１８〕
操作部１８は、把持部１４に対して回転自在かつ前後方向に移動が規制されて抜け止めされている。
【００３７】
すなわち、操作部１８は、図１、図８に示すように、後端の閉鎖された概略筒状体に形成され、円筒側面状の内部が空洞であり、内側面に雌ネジ１８ａが形成されており、この雌ネジ１８ａに前記可変リング２０が螺合する構造である。また、内部の後端面に前記シャフト部１６の後端が回動自在に挿入される穴１８ｂが形成される。また、操作部１８の前端は切り欠かれて二股状になっており、その外周には、弧状の突起１８ｃが形成されている。
【００３８】
この弧状の突起１８ｃは、前記把持部１４の筒状側面体１４ｂの内面に形成された溝１４ｂ１（図７参照）に係合して把持部１４に対する操作部１８の回転自在で抜け止めされている。
【００３９】
〔弾性体２２〕
弾性体２２は、操作部１８内に、把持部１４に対してシャフト部１６を前方に押圧するために設けられている。
【００４０】
図１に示されように、弾性体２２の後部は、操作部１８の穴１８ｂ内に装着されて、その穴１８ｂの底部で後端の位置決めがされ、また、前端がシャフト部１６の外向き突起１６ｃの後端面に係合し、シャフト部１６の外向き突起１６ｃから後方に棒状に延びる部分に緩く外嵌している。これにより、操作部１８に対してシャフト部１６が弾性体２２の付勢力で前方へ付勢された状態になる。弾性体２２には、実施形態では、金属製又は樹脂製のコイルスプリングを採用できる。もちろん他の形状の弾性材も採用できる。
【００４１】
図３に示すように、塗布部１０を収縮しているときに、コイルスプリングの弾性体２２は、シャフト部１６の外向き突起１６ｃに押圧されて操作部１８の穴１８ｂ内に収まっている。図４に示すように、塗布部１０が伸長しているときには、穴１８と前記外向き突起１６ｃとの間は広がり、前記穴１８ｂから突出した弾性体２２が伸びて前記外向き突起１６ｃを付勢する。
【００４２】
〔可変リング２０〕
可変リング２０には、図３や図５に示すように、その中央孔２０ａ内にシャフト部１６を前後移動可能に挿入し、該シャフト部１６の後端の外向き突起１６ｃの前面が可変リング２０の後方への抜け止め用係合部となっている。
【００４３】
また、可変リング２０は、中央孔２０ａが、把持部１４の内側軸状体１４ａの異形断面孔１４ａ１と同様の断面孔であり、したがって、シャフト部１６に回転規制されてかつ前後方向に進退自在に組み合わされた構造になっている。シャフト部１６に対して把持部１４及び可変リング２０が回転規制されるので、把持部１４及び可変リング２０は回転方向に一定になり、かつ前後方向に位置変化が可能である（図５、図６参照）。
【００４４】
また、可変リング２０の外面の雄ネジが操作部１８内の雌ネジ１８ａに螺合する。
したがって、操作部１８の把持部１４に対する回転操作で、可変リング２０が前後動する。
【００４５】
操作部１８の把持部１４に対する回転操作で可変リング２０が操作部１８内で後方に移動したときには、該可変リング２０が前記外向き突起１６ｃ（抜け止め用係合部）に当接して後方に押圧し、前記外向き突起１６ｃを介してシャフト部１６を後方に移動させる構成になっている。
また、前記可変リング２０が操作部１８内で前方に移動したときには、前記可変リング２０による押圧が解除された外向き突起１６ｃは、弾性体２２の付勢力によって、前記外向き突起１６ｃを介してシャフト部１６が前方に移動する。
【００４６】
塗布具の使用時の操作において、まず、容器１２を外す。
そして、操作部を把持部１４に対して繰り出し方向・反繰り出し方向に回転させると、可変リング２０が前方・後方に移動する。弾性体２２は、シャフト部１６を前方に向けて押圧しているので、可変リング２０が前方・後方に移動することに追随して、シャフト部１６が前方に突出し・後方に引き込まれる。シャフト部１６の突出で塗布部１０が伸長し、シャフト部１６の引き込みで塗布部１０が短縮する。
従って、図３、図４に示すように、操作部１８の操作によって使用の適した長さに塗布部１０の長さを調整できる。
【００４７】
塗布部１０の伸長した状態で容器１２に塗布部１０を挿入して、容器１２に把持部１４を螺合すると、容器１２の底部に塗布部１０当接して（底付状態になり）シャフト部１６が後退方向に押圧される。図１に示すように、塗布部１０が短縮状態になる。容器１２内の液に塗布部１０に確実に触れて浸透する。
【００４８】
上記塗布具によれば、塗布部１０を容器１２内に収容した際に、塗布部１０が収縮可能で、一方、塗布部１０を容器１２から取り出した際に、操作部１８の操作により塗布部１０が伸縮可能であるので、図３、図４に示すように、操作部１８を回転させることによって塗布部１０が伸縮して製品全長が長手方向に伸縮することと、図１に示すように、容器１２内に収容すると塗布部１０を収縮することとが両立できるようにした塗布具を提供できる。
【００４９】
一般的な機構では、ネジ操作の身長機構は、長手方向への押圧で伸長できないため、容器の底着きができなかったが、実施形態の塗布具では、操作部１８、把持部１４、シャフト部１６、可変リング２０等の簡単な構成で可能にしている。
【産業上の利用可能性】
【００５０】
本発明の塗布具は、マスカラ液の他、各種化粧液を対象物に塗る塗布具として利用することができる。
【符号の説明】
【００５１】
１０  塗布部
１２  容器
１４  把持部
１４ａ  内側軸状体
１４ｂ  筒状側面体
１４ｃ  円盤状体
１６  シャフト部
１８  操作部
２０  可変リング
２２  弾性体
【図１】
2015128476.tif 000003
【図２】
2015128476.tif 000004
【図３】
2015128476.tif 000005
【図４】
2015128476.tif 000006
【図５】
2015128476.tif 000007
【図６】
2015128476.tif 000008
【図７】
2015128476.tif 000009
【図８】
2015128476.tif 000010
【図９】
2015128476.tif 000011